(57)【要約】  ｉ）接触面を備える摩擦プローブであって、１０〜５００ｇの範囲のおもりが適合されているプローブ、ｉｉ）前記毛髪の束を固定する手段、およびｉｉｉ）水の入った槽を備え、前記摩擦プローブがテクスチャアナライザーに接続されているシステムを使用して、毛髪の湿潤摩擦を測定する方法であって、ｉ）毛髪繊維の束を準備するステップ、ｉｉ）前記毛髪繊維を位置合わせするステップ、ｉｉｉ）前記毛髪繊維の束を固定するステップ、ｉｖ）前記水の入った槽の水に前記毛髪繊維の束を浸すステップ、ｖ）前記おもりが適合されている前記摩擦プローブの前記接触面に前記毛髪繊維を接触させるステップ、ｖｉ）前記プローブを前記毛髪繊維に沿って移動するステップ、およびｖｉｉ）ステップｖｉ）で生成された前記摩擦を記録するステップを含み、ステップｖ）〜ｖｉｉ）は水（８）の下で行われ、前記プローブを前記毛髪から持ち上げずに、一定の値が得られるまでステップｖｉ）〜ｖｉｉ）を繰り返す方法が提供される。【特許請求の範囲】
【請求項１】
ｉ）接触面（２）を有する摩擦プローブ（１）であって、１０〜５００ｇの範囲のおもり（３）が適合されているプローブ、
ｉｉ）前記毛髪の束（５）を固定する手段（６）、および
ｉｉｉ）水の入った槽（７）
を備え、
前記摩擦プローブが、テクスチャアナライザー（４）に接続されているシステムを使用して、毛髪の湿潤摩擦を測定する方法であって、
ｉ）毛髪繊維の束（５）を準備するステップ、
ｉｉ）前記毛髪繊維（５）を位置合わせするステップ、
ｉｉｉ）前記毛髪繊維の束（５）を固定するステップ、
ｉｖ）前記水の入った槽（７）の水に前記毛髪繊維の束（５）を浸すステップ、
ｖ）前記おもり（３）が適合されている前記摩擦プローブ（１）の前記接触面（２）に前記毛髪繊維（５）を接触させるステップ、
ｖｉ）前記プローブ（１）を前記毛髪繊維（５）に沿って移動するステップ、および
ｖｉｉ）ステップｖｉ）で生成された前記摩擦を記録するステップ
を含み、
ステップｖ）〜ｖｉｉ）は水（８）の下で行われ、
前記プローブ（１）を前記毛髪（５）から持ち上げずに、一定の値が得られるまでステップｖｉ）〜ｖｉｉ）を繰り返す方法。
【請求項２】
前記毛髪繊維の束（５）を第１の毛髪処理組成物で処理するステップを含む、請求項１に記載の方法。
【請求項３】
前記毛髪繊維の束（５）を第２の毛髪処理組成物で処理するステップと、
前記第１の毛髪処理組成物で処理された毛髪の前記摩擦と前記第２の毛髪処理組成物で処理された前記毛髪の前記摩擦とを比較するステップと
を含む、請求項２に記載の方法。
【請求項４】
ステップｖｉ）からｖｉｉ）が１５から１００回繰り返される、請求項１から３のいずれかに記載の方法。
【請求項５】
前記プローブ（１）が界面活性剤を含む、請求項１から４のいずれかに記載の方法。
【請求項６】
前記摩擦プローブ（１）の界面活性剤のレベルが１０μｇ／ｃｍ２から１５００μｇ／ｃｍ２である、請求項１から５のいずれかに記載の方法。
【請求項７】
前記摩擦プローブ（１）がゴム材料を含む、請求項１から６のいずれかに記載の方法。
【発明の詳細な説明】
【技術分野】
【０００１】
本発明は、濡れた髪の摩擦を測定するための方法に関し、特に、毛髪処理組成物で処理された髪、および様々なトリートメントで処理された髪の摩擦の比較に関する。
【背景技術】
【０００２】
髪の摩擦の評価は、髪の状態に関する情報を提供する。髪の状態は、キューティクルの浮き上がり、キューティクルの破損、表面の侵食、髪の表面への物質の堆積の度合いなどの事柄に影響を受ける可能性がある。また、摩擦低減処理と材料の有効性に関する情報も提供できる。これにより、ひいては特定の毛髪の状態に合った製品を有益に選択することが可能になる。
【０００３】
このような評価に利用できるシステムと方法がいくつかある。
【０００４】
Ｃｈｅｍｉｃａｌ  ａｎｄ  Ｐｈｙｓｉｃａｌ  Ｂｅｈａｖｉｏｒ  ｏｆ  Ｈｕｍａｎ  Ｈａｉｒ，  Ｃｌａｒｅｎｃｅ  Ｒ．Ｒｏｂｂｉｎｓ，  ４ｔｈ  Ｅｄ．，  Ｓｐｒｉｎｇｅｒ；  ｐｐ  ４３９−４４０は、Ｉｎｓｔｒｏｎ張力テスターのロードセルに毛髪繊維の根端を取り付けることを含むＳｃｏｔｔとＲｏｂｂｉｎｓに起因する方法を含む、「Ｍｅｔｈｏｄｓ  ｆｏｒ  Ｍｅａｓｕｒｉｎｇ  Ｆｒｉｃｔｉｏｎ  ｏｎ  Ｈａｉｒ  Ｆｉｂｅｒｓ（毛髪繊維の摩擦を測定する方法）」という見出しの既知の技術の要約を提示している。それは、先端の重みを加え、２つのマンドレルを部分的に包む。マンドレルはクロスヘッドに取り付けられており、繊維に向かって下向きに移動するときに摩擦張力が記録される。摩擦は摩擦速度によって変化すると言われており、摩擦速度が遅い場合の処理には大きな差が見られる。乾いた髪と水に浸した髪のコーミングのシミュレーションが、この方法を使用して開示されている。
【０００５】
米国特許出願公開第２００９０３２４５２９号では、髪の摩擦力はテクスチャアナライザー（ＴＡ）を使用して測定され、１０ｇの髪のサンプルに組成物が適用される。毛髪サンプルに組成物を広げた後、水ですすぐ前後に、ＴＡを使用して毛髪サンプルとポリウレタンパッドとの間の摩擦力を測定する。
【０００６】
欧州特許第１６５２５５５号で、本発明者らは、ＴＡと、ゴム材料でコーティングされたステンレス鋼シリンダーの形の摩擦プローブを使用した摩擦の測定を開示している。小枝状の毛髪をＴＡに据え付け、平らな構成に固定する前に、髪の毛の繊維をコーミングによって位置合わせする。摩擦プローブを髪の上に置いて、約５６０ｇの摩擦接点の負荷をかける。プローブを、１０ｍｍ−１の速度で髪に沿って動かして、プローブと髪との間の摩擦を測定する。この方法は、様々なヘアコンディショナーで処理された髪の摩擦特性を評価するために使用される。
【０００７】
しかし、これらの既知の方法には、いくつかの処理を十分に区別する感度がない。特にすすぎ段階では、既知の方法では消費者による製品の差別化を予測できないことが見出された。
【０００８】
本発明者らは、おもりを適合させた摩擦プローブ、固定手段、およびテクスチャアナライザーに接続された水の入った槽を使用する水中の毛髪の束の摩擦の測定を今や見出している。それにおいては、プローブは一定の値が得られるまで毛髪繊維に沿って繰り返し移動し、驚くほど正確な測定が可能になる。
【先行技術文献】
【特許文献】
【０００９】
【特許文献１】米国特許出願公開第２００９０３２４５２９号
【特許文献２】欧州特許第１６５２５５５号
【非特許文献】
【００１０】
【非特許文献１】Ｃｈｅｍｉｃａｌ  ａｎｄ  Ｐｈｙｓｉｃａｌ  Ｂｅｈａｖｉｏｒ  ｏｆ  Ｈｕｍａｎ  Ｈａｉｒ，  Ｃｌａｒｅｎｃｅ  Ｒ．Ｒｏｂｂｉｎｓ，  ４ｔｈ  Ｅｄ．，  Ｓｐｒｉｎｇｅｒ；  ｐｐ  ４３９−４４０
【発明の概要】
【００１１】
第１の態様では、
ｉ）接触面を備える摩擦プローブであって、１０〜５００ｇの範囲のおもりが適合されているプローブ、
ｉｉ）毛髪の束を固定する手段、および
ｉｉｉ）水の入った槽
を備え、
摩擦プローブがテクスチャアナライザーに接続されるシステムを使用して、毛髪の湿潤摩擦を測定する方法であって、
ｉ）毛髪繊維の束を準備するステップ、
ｉｉ）毛髪繊維を位置合わせするステップ、
ｉｉｉ）毛髪繊維の束を固定するステップ、
ｉｖ）水の入った槽の水に毛髪繊維の束を浸すステップ、
ｖ）おもりが適合されている摩擦プローブの接触面に毛髪繊維を接触させるステップ、
ｖｉ）プローブを毛髪繊維に沿って移動するステップ、および
ｖｉｉ）ステップｖｉ）で生成された摩擦を記録するステップ
を含み、
ステップｖ）〜ｖｉｉ）は水の下で行われ、
プローブを髪から持ち上げずに、一定の値が得られるまでステップｖｉ）〜ｖｉｉ）を繰り返す方法が提供される。
【００１２】
このようにして、摩擦の非常に小さな差が検出され、消費者データと一致することが見出された。
【図面の簡単な説明】
【００１３】
本発明の実施形態を、以下の非限定的な図面を参照してこれから説明する。
【図１】本発明の方法で使用するシステムの斜視図である。
【図２】本発明の方法を使用して処理された髪の浸漬フィクションプロファイルを示す。
【００１４】
図１のシステムは、テクスチャアナライザー（４）に接続されたおもり（３）が適合された、界面活性剤を含む接触面（２）を有する摩擦プローブ（１）を備え、その全長に沿った２つの位置でクランプ（６）でクランプされた毛髪繊維の束（５）を示し、クランプと摩擦プローブは充填ライン（８）の下の水の入った槽（７）に配置されている。
【発明を実施するための形態】
【００１５】
方法
一定の値が得られるまで、プローブを髪から持ち上げずに方法のステップｖｉ）〜ｖｉｉ）を繰り返すことが好ましい。好ましくは、ステップｖｉ）〜ｖｉｉ）は１５〜１００回、より好ましくは２０〜６０回、最も好ましくは３０〜５０回繰り返される。
【００１６】
好ましくは、方法のステップｉｖ）〜ｖｉ）は、固定手段を開かずに実行される。
【００１７】
ステップｉｖ）の「プローブを毛髪繊維に沿って移動する」というフレーズは、プローブが毛髪繊維上を一端から他端まで滑動しており、プローブが滑動している間、毛髪繊維が静止し続けていることを意味するものと理解されるべきである。
【００１８】
毛髪繊維は、プローブと接触する前に位置合わせする。これは、髪をコーミングするかブラッシングすることにより達成されることが好ましい。
【００１９】
毛髪処理組成物の摩擦低減効果を評価する方法は、本発明の第１の態様の方法を実施する前に、毛髪繊維の束を第１の毛髪処理組成物で処理するステップを含む。本明細書において、「処理する」とは、毛髪組成物を毛髪繊維の束に塗布することを意味すると理解されるべきである。好ましい実施形態において、毛髪繊維は、毛髪組成物の塗布前に洗浄および／またはすすぐ。好ましくは、毛髪繊維は、毛髪組成物の塗布後であるが、それを手段に固定する前にすすぐ。
【００２０】
この方法は、毛髪繊維の束を第２の毛髪処理組成物で処理するステップと、本発明の第１の態様の方法を実行し、第１の毛髪処理組成物で処理された毛髪の摩擦と第２の毛髪処理組成物で処理された毛髪の摩擦とを比較するステップと、をさらに含み得る。
【００２１】
毛髪繊維の束
毛髪繊維の束は、好ましくは、一端で結合または接着されている。好ましくは、毛髪繊維の束は、好ましくは５０〜５０００本の毛髪繊維、最も好ましくは５００〜２０００本の毛髪繊維を含む小枝状髪である。
【００２２】
好ましくは、小枝状の毛髪は、重量で１から２０ｇ、より好ましくは２から１０ｇである。好ましくは、小枝状髪は長さが１０〜５０ｃｍ、より好ましくは長さが１５〜３０ｃｍである。
【００２３】
摩擦プローブ
摩擦プローブには、使用中に髪に接触する接触面がある。接触面は、摩擦プローブの外面であることが好ましい。
【００２４】
好ましくは、摩擦プローブはゴム材料、好ましくは合成ゴム、最も好ましくはネオプレンを含む。
【００２５】
好ましくは、摩擦プローブの接触面は、好ましくは、摩擦プローブの界面活性剤のレベルが１０μｇ／ｃｍ２から１５００μｇ／ｃｍ２、より好ましくは５０μｇ／ｃｍ２から１０００μｇ／ｃｍ２、さらにより好ましくは８０μｇ／ｃｍ２から５００μｇ／ｃｍ２、最も好ましくは１００μｇ／ｃｍ２から２００μｇ／ｃｍ２の界面活性剤を含む。
【００２６】
摩擦プローブ自体の重量は約２０〜１００ｇ、好ましくは４０〜８０ｇ、より好ましくは６０ｇである。摩擦プローブには、１０〜５００ｇ、好ましくは５０〜３００ｇ、最も好ましくは１００〜２００ｇの範囲のおもりが適合されている。おもりにより、プローブと毛髪が良好に接触する。
【００２７】
好ましくは、摩擦プローブは、前述のゴム材料でコーティングされたステンレス鋼シリンダーである。
【００２８】
界面活性剤は、水性界面活性剤で処理して乾燥することにより、プローブに添加することができる。
【００２９】
好ましい方法は、使用前に、プローブを最初に、全水性界面活性剤組成物の５〜２５重量％の界面活性剤濃度を有する水性界面活性剤組成物で洗浄し、水ですすぐことである。次に、プローブを、濃度が１０ｐｐｍから１５００ｐｐｍの界面活性剤の希釈界面活性剤水溶液に浸し、乾燥させる。
【００３０】
水性界面活性剤組成物は、全水性界面活性剤組成物の重量に対して、５〜２５重量％、好ましくは８〜２０重量％、例えば１４重量％の濃度を有する。
【００３１】
水性界面活性剤組成物で処理した後、濃度１０ｐｐｍ〜１５００ｐｐｍ、好ましくは５０〜５００ｐｍ、最も好ましくは８０〜２００ｐｐｍ、例えば１４０ｐｐｍの希釈界面活性剤水溶液に浸す前に、好ましくは３０秒〜５分、より好ましくは１分〜３分、プローブを水で洗浄する（好ましくは滑りやすい感触がなくなるまで）。
【００３２】
次に、プローブを、好ましくは１０分から３時間、最も好ましくは１．５から２．５時間乾燥させる。
【００３３】
好ましくは、水性界面活性剤組成物および希釈界面活性剤溶液の両方の界面活性剤は、アニオン性界面活性剤、好ましくはラウリルエーテル硫酸ナトリウム（ＳＬＥＳ）である。
【００３４】
好ましいプローブは、最初に、５〜２５重量％の濃度を有する水性アニオン性界面活性剤組成物で洗浄され、水ですすがれ、その後、１０ｐｐｍ〜１５００ｐｐｍの濃度の希釈界面活性剤水溶液に１〜３分間浸漬され、１．５〜２．５時間乾燥される。
【００３５】
固定手段
毛髪繊維の束は、固定手段で固定する。好ましくは、固定手段はクランプである。好ましくは、髪はその全長に沿った２つの位置で固定される。
【００３６】
水の入った槽
固定手段と摩擦プローブは、充填ラインの下にある水の入った槽に配置される。
【００３７】
水は温かいことが好ましく、２５〜４０℃が好ましい。
【００３８】
テクスチャアナライザー（ＴＡ）
任意の適切なテクスチャアナライザー、例えば英国サリー州のＳｔａｂｌｅ  Ｍｉｃｒｏ  Ｓｙｓｔｅｍｓが提供するＴＡ．ＸＴ２ｉ  Ｔｅｘｔｕｒｅ  Ａｎａｌｙｓｅｒを使用できる。ＴＡは、プローブから髪の毛の摩擦を取得する。
【００３９】
プローブはＴｅｘｔｕｒｅ  Ａｎａｌｙｓｅｒに接続する。
【００４０】
いかなる理論にも拘束されることを望まないが、本発明は「境界潤滑」と「流体力学的潤滑」との間の領域で動作すると考えられている。領域自体は通常「弾性流体潤滑と混合潤滑」と呼ばれる。流体力学的潤滑領域では、流体が摩擦面（プローブと髪）を完全に隔離し、内部の流体摩擦のみがトライボロジー特性を決定する。「境界潤滑」領域では、潤滑剤の流体力学的効果（例えば、繊維に残った髪の組成）は、トライボロジー特性に大きく影響しない。対照的に、「混合潤滑」領域では、流体（流体の粘度など）、圧力、固体表面がすべて影響要因である。本発明者らは、請求項１に記載のシステムを使用して、異なる毛髪処理組成物に起因する髪の摩擦のわずかな違いさえも区別することができることを観察した。さらに、違いは消費者の知覚と良好に相関しているように思われる。
【００４１】
毛髪処理組成物
本発明の方法で使用するのに好ましい毛髪処理組成物は、リンスオフ組成物である。
【００４２】
好ましい毛髪処理組成物は、シャンプー、リンスオフヘアコンディショナーおよびヘアマスクから選択される。
【００４３】
本発明で使用するリンスオフコンディショナーは、典型的には、１〜２分間濡れた髪に残されてから洗い流されるコンディショナーである。
【００４４】
本発明で使用するヘアマスクは、典型的には、３〜１０分間、好ましくは３〜５分間、より好ましくは４〜５分間毛髪に残してからすすぎ落とすトリートメントである。
【００４５】
本発明の方法で使用される処理組成物は、好ましくはコンディショニング剤を含む。コンディショニング剤は、好ましくは、単独でまたは混合物で使用されるカチオン性界面活性剤から選択される。
【００４６】
本発明の方法で使用するための組成物に有用なカチオン性界面活性剤は、水性組成物に溶解すると正に帯電するアミノまたは第四アンモニウム親水性部分を含む。
【００４７】
適切なカチオン性界面活性剤の例は、次式に対応するものである：
［Ｎ（Ｒ１）（Ｒ２）（Ｒ３）（Ｒ４）］＋（Ｘ）−
式中、Ｒ１、Ｒ２、Ｒ３およびＲ４は、（ａ）炭素原子１〜２２個の脂肪族基、または（ｂ）最大２２個の炭素原子を有する芳香族、アルコキシ、ポリオキシアルキレン、アルキルアミド、ヒドロキシアルキル、アリールまたはアルキルアリール基から独立して選択され；Ｘは、ハロゲン（例えば、塩化物、臭化物）、酢酸塩、クエン酸塩、乳酸塩、グリコール酸塩、リン酸塩硝酸塩、硫酸塩、およびアルキル硫酸塩ラジカルから選択されるような塩形成アニオンである。
【００４８】
脂肪族基は、炭素原子および水素原子に加えて、エーテル結合、およびアミノ基などの他の基を含み得る。長鎖脂肪族基、例えば、炭素数約１２以上のものは、飽和または不飽和であり得る。
【００４９】
本発明の方法で使用するための組成物に最も好ましいカチオン性界面活性剤は、長鎖アルキル鎖がＣ１６からＣ２２であるモノアルキル四級アンモニウム化合物である。
【００５０】
そのような材料の適切な例は、次の式に対応する。
【００５１】
［Ｎ（Ｒ５）（Ｒ６）（Ｒ７）（Ｒ８）］＋（Ｘ）−
式中、Ｒ５は、１６〜２２個の炭素原子を有する炭化水素鎖または１６〜２２個の炭素原子を有し、ラジカル鎖の置換基または連鎖として存在するエーテル、エステル、アミドまたはアミノ部分を含む官能化ヒドロカルビル鎖であり、Ｒ６、Ｒ７およびＲ８は、（ａ）１から約４個の炭素原子のヒドロカルビルカイン、または（ｂ）１から約４個の炭素原子を有し、ラジカル鎖にて置換基または連鎖として存在する１つ以上の芳香族、エーテル、エステル、アミドまたはアミノ部分を含む官能化ヒドロカルビル鎖から独立して選択され、Ｘは、ハロゲン（例えば、塩化物、臭化物）、酢酸塩、クエン酸塩、乳酸塩、グリコール酸塩、リン酸塩硝酸塩、硫酸塩およびアルキル硫酸塩ラジカルから選択される塩形成アニオンである。
【００５２】
官能化ヒドロカルビルカイン（ｂ）は、アルコキシ（好ましくはＣ１〜Ｃ３アルコキシ）、ポリオキシアルキレン、アルキルエステル、およびそれらの組み合わせから選択される１つ以上の親水性部分を適切に含むことができる。
【００５３】
好ましくは、炭化水素鎖Ｒ１は１６から２２個の炭素原子を有する。それらは、所望のヒドロカルビル鎖長を有する相当量の脂肪酸を含む原料油から誘導され得る。
【００５４】
本発明の方法で使用するための組成物で使用するための上記一般式の典型的なモノアルキル四級アンモニウム化合物には以下が含まれる。
【００５５】
（ｉ）塩化セチルトリメチルアンモニウム（例えば、ＢＡＳＦからＤｅｈｙｑｕａｒｔとして市販されている）；塩化ベヘニルトリメチルアンモニウム（例えば、ＣｒｏｄａからのＩｎｃｒｏｑｕａｔ（商標）  Ｂｅｈｅｎｙｌとして入手可能）
（ｉｉ）次式の化合物：
［Ｎ（Ｒ１）（Ｒ２）（（ＣＨ２ＣＨ２Ｏ）ｘＨ）（（ＣＨ２ＣＨ２Ｏ）ｙＨ］＋（Ｘ）−
式中
ｘ＋ｙは２〜２０の整数である。
【００５６】
Ｒ１は、１６〜２２個の炭素原子を有し、ラジカル鎖の置換基または連鎖として存在するエーテル、エステル、アミドまたはアミノ部分を含むヒドロカルビル鎖である。
【００５７】
Ｒ２はＣ１−Ｃ３アルキル基またはベンジル基、好ましくはメチルであり、
Ｘは、ハロゲン（塩化物、臭化物など）、酢酸塩、クエン酸塩、乳酸塩、グリコール酸塩、リン酸塩硝酸塩、硫酸塩、メトサルフェート、およびアルキル硫酸塩ラジカルから選択される塩形成アニオンである。
【００５８】
（ｉｉｉ）次式の化合物：
［Ｎ（Ｒ１）（Ｒ２）（Ｒ３）（（ＣＨ２）ｎ  ＯＨ）］＋（Ｘ）−
式中
ｎは１〜４の整数であり、２が好ましい。
【００５９】
Ｒ１は、１６〜２２個の炭素原子を有するヒドロカルビル鎖である。
【００６０】
Ｒ２およびＲ３は独立してＣ１〜Ｃ３アルキル基から選択され、好ましくはメチルであり、
Ｘ−は、ハロゲン（塩化物、臭化物など）、酢酸塩、クエン酸塩、乳酸塩、グリコール酸塩、リン酸塩硝酸塩、硫酸塩、アルキル硫酸塩ラジカルから選択されるような塩形成アニオンである。
【００６１】
前述のカチオン性界面活性剤化合物のいずれかの混合物も適切であり得る。
【００６２】
本発明の方法で使用する毛髪用組成物で使用するのに適したカチオン性界面活性剤の例には、塩化セチルトリメチルアンモニウム、塩化ベヘニルトリメチルアンモニウム、塩化セチルピリジニウム、塩化テトラメチルアンモニウム、塩化テトラエチルアンモニウム、塩化オクチルトリメチルアンモニウム、塩化ドデシルトリメチルアンモニウム、塩化ヘキサデシルトリメチルアンモニウム、塩化オクチルジメチルベンジルアンモニウム、塩化デシルジメチルベンジルアンモニウム、塩化ステアリルジメチルベンジルアンモニウム、塩化ジドデシルジメチルアンモニウム、塩化ジオクタデシルジメチルアンモニウム、塩化タロウトリメチルアンモニウム、塩化ココトリメチルアンモニウム、およびそれらの対応する水酸化物を含む。さらなる適切なカチオン性界面活性剤には、ＣＴＦＡ指定のＱｕａｔｅｒｎｉｕｍ−５、Ｑｕａｔｅｒｎｉｕｍ−３１、Ｑｕａｔｅｒｎｉｕｍ−９８およびＱｕａｔｅｒｎｉｕｍ−１８を有する材料が含まれる。前述の材料のいずれかの混合物も適切であり得る。特に有用なカチオン性界面活性剤は、例えばＨｅｎｋｅｌからのＤＥＨＹＱＵＡＲＴとして市販されている塩化セチルトリメチルアンモニウムである。
【００６３】
カチオン性界面活性剤のレベルは、好ましくは組成物全体の０．０１から１０重量％、より好ましくは０．０５から５重量％、最も好ましくは０．１から２重量％である。
【００６４】
好ましいコンディショナーは、コンディショニングゲル相を含む。そのようなコンディショナーおよびそれらを作製する方法は、国際公開第２０１４／０１６３５４号、国際公開第２０１４／０１６３５３号、国際公開第２０１２／０１６３５２号および国際公開第２０１４／０１６３５１号に記載されている。このタイプの好ましいヘアコンディショニング組成物は、０．４〜８重量％の８〜２２個の炭素を有する脂肪アルコール、０．１〜２重量％のカチオン性界面活性剤成分、水を含み、組成物は、コンディショニング組成物で処理された髪に１〜２５０ｇのドロー質量を付与する。ドロー質量は、櫛またはブラシで小枝状の毛髪を引くために必要な質量である。
【００６５】
コンディショニング組成物は、他の任意の成分を含んでもよい。そのような成分には脂肪物質、堆積ポリマー、さらにコンディショニング剤が含まれるが、これらに限定されない。
【００６６】
コンディショナー組成物は、脂肪物質をさらに含むことが好ましい。コンディショニング組成物における脂肪物質とカチオン性界面活性剤の併用は、これがカチオン性界面活性剤が分散される構造化ラメラまたは液晶相の形成につながるため、特に有利であると考えられている。
【００６７】
「脂肪物質」とは、脂肪アルコール、アルコキシル化脂肪アルコール、脂肪酸またはそれらの混合物を意味する。
【００６８】
好ましくは、脂肪物質のアルキル鎖は完全に飽和している。
【００６９】
代表的な脂肪物質は、８〜２２個、より好ましくは１６〜２２個の炭素原子を含む。適切な脂肪アルコールの例には、セチルアルコール、ステアリルアルコールおよびそれらの混合物が含まれる。これらの材料の使用は、組成物の全体的なコンディショニング特性に寄与するという点でも有利である。
【００７０】
アルキル鎖中に約１２〜約１８個の炭素原子を有するアルコキシル化（例えば、エトキシル化またはプロポキシル化）脂肪アルコールを、脂肪アルコール自体の代わりに、または脂肪アルコール自体に加えて使用することができる。適切な例には、エチレングリコールセチルエーテル、ポリオキシエチレン（２）ステアリルエーテル、ポリオキシエチレン（４）セチルエーテル、およびそれらの混合物が含まれる。
【００７１】
コンディショナー中の脂肪物質のレベルは、適切には、組成物全体の０．０１から１５重量パーセント、好ましくは０．１から１０重量パーセント、より好ましくは０．１から５重量パーセントである。カチオン性界面活性剤と脂肪アルコールの重量比は、適切には１０：１〜１：１０、好ましくは４：１〜１：８、最適には１：１〜１：７、例えば１：３である。
【００７２】
さらなるコンディショニング成分には、パルミチン酸セチルなどの脂肪アルコールと脂肪酸のエステルが含まれる。
【００７３】
本発明で使用するためのコンディショニング組成物は、ミセル構造化された液体を含むことができる。
【００７４】
本組成物を含むコンディショナーのｐＨは、好ましくは３〜５である。より好ましくは、組成物のｐＨは４．５〜５．５である。
【００７５】
組成物が３．１０未満のｐＨを有する場合、集中的な処理のためのコンディショニングマスクの形態であることが好ましい。
【００７６】
さらなるコンディショニング成分には、好ましくはココナッツオイルおよびオリーブオイルから選択されるコンディショニングオイルが含まれる。
【００７７】
これから本発明を以下の非限定的な実施例を用いて説明する。
【００７８】
実施例１：摩擦分析前の毛髪の処理用組成物
ヘアコンディショナー組成物を調製し、本発明の方法を使用する摩擦分析の前に髪を処理するために使用した。組成を表１に示す。
【００７９】
表１：コンディショナーＡの組成
【表１】
2020515836.tif 000002
【００８０】
製剤Ａは、カチオン性界面活性剤を脂肪アルコールに添加し、８５℃で撹拌することにより作成した。混合物の温度が６０℃になるように、典型的には５５℃で、徐々にこの混合物を水に加えた。この温度を撹拌しながら３０分間維持した。次いで、混合物を、より多くの水および他の周囲温度成分を添加することにより、および必要に応じて外的な冷却を利用することにより周囲に向けて冷却し、撹拌した。
【００８１】
実施例２：本発明によるＴＡ摩擦測定の前の、組成物Ａによる毛髪の処理
使用された髪は、重量が５ｇで長さが６インチの暗褐色のヨーロッパ人の髪であった。
【００８２】
次のように髪を組成物Ａで処理した。
【００８３】
髪は、次の方法を使用してクレンジングシャンプーで最初に処理された。
【００８４】
毛髪繊維を流水下に３０秒間保持し、シャンプーを毛髪１ｇ当たり０．１ｍｌのシャンプーの用量で適用し、毛髪に３０秒間こすりつけた。過剰な泡を３０秒間流水下に保持することにより除去し、シャンプー段階を繰り返した。髪を流水で１分間すすいだ。
【００８５】
次いで、次の方法を使用して、濡れた髪をコンディショナーＡで処理した。
【００８６】
毛髪１ｇ当たり０．２ｍｌのコンディショナーの用量で、濡れた毛髪にコンディショナーを塗布し、１分間毛髪にマッサージした。髪を流水で１分間すすぎ、余分な水を除去した。
【００８７】
実施例３：組成物Ａで処理した毛髪の摩擦測定
以下のように、本発明の装置および方法を使用して摩擦を測定した。
【００８８】
英国サリー州のＳｔａｂｌｅ  Ｍｉｃｒｏ  Ｓｙｓｔｅｍｓが提供するＴＡ．ＸＴ２ｉ  Ｔｅｘｔｕｒｅ  Ａｎａｌｙｓｅｒを使用して摩擦を測定した。摩擦プローブは、ゴム材料でコーティングされたステンレススチールシリンダーであった。摩擦接触の負荷は約１３８ｇであった。使用中、約１．０ｃｍ２という、摩擦プローブの外側表面と毛髪との接触領域が達成された。
【００８９】
界面活性剤は、次のようにプローブに追加された。
【００９０】
プローブを最初に、全水性界面活性剤組成物の１４重量％の濃度のラウリルエーテル硫酸ナトリウム（ＳＬＥＳ）の水性組成物で洗浄し、水ですすいだ。次いで、プローブを、１４ｐｐｍの濃度を有するＳＬＥＳの希釈溶液に２分間浸し、その後２時間乾燥させた。
【００９１】
コンディショナーＡで処理した髪の摩擦特性を評価するために使用した方法論は次のとおりであった。
【００９２】
小枝状の毛髪をテクスチャアナライザーにしっかりと取り付け、平らな構成に固定する前に、髪の毛の繊維をコーミングによって位置合わせさせた。髪を水の入った槽に浸した。摩擦プローブを髪の上に置き、１０ｍｍ−１の速度で髪に沿って動かして、プローブと髪との間の摩擦を測定した。測定は３０回繰り返された。
【００９３】
以下に報告する摩擦の値は、キューティクルに沿う場合と逆らう場合について、プローブが移動した全距離にわたる測定された総摩擦力を統合することによって得られた、ｇ．ｍｍ単位の摩擦ヒステリシスである。
【００９４】
コンディショナーＡで処理した小枝状の毛髪で測定され、３０回繰り返された浸漬時の摩擦を表２に示し、図２にグラフで示す。
【００９５】
表２：１〜３０回の繰り返しにおける、コンディショナーＡで処理した髪の浸漬時のフィクション測定
【表２】
2020515836.tif 000003
【００９６】
表２のデータを図２にグラフで示す。
【００９７】
図２は、３０回繰り返した際の、コンディショナーＡで処理した毛髪の浸漬フィクションプロファイルを示している。
【００９８】
摩擦は、数回の測定のみの後で真の一定値で安定することがわかる。これは、繰り返されないと一定にならない摩擦測定よりも、比較目的ではるかに正確で有用である。
【００９９】
実施例４：様々なおもりを適合させたプローブによる摩擦測定
組成物Ａを使用して、実施例１に記載のように毛髪繊維を処理した。すべてのプローブは、使用前に界面活性剤を含んでいる。他のすべての実験の詳細は、プローブにそれぞれ０ｇ（おもりなし）、１３８ｇ、および１０００ｇというおもりが適合されていることを除いて、実施例３で説明したとおりである。
【０１００】
３０回の測定後、１３８ｇのおもりに適合されるプローブに記録された平均摩擦は１３３．１８ｇｍｍで、表２で得られたデータと十分に一致している。おもり１０００ｇに適合されるプローブに記録された平均摩擦は、人為的に２１６．２２ｇｍｍに増加していることが見出される。さらに、この高い摩擦により、髪が絶えずクランプから滑り落ちてから水に浮いたため、測定を繰り返すのが困難になった。一方、プローブの重量は摩擦を大幅に減少させなかった。意味のあるデータを記録できなかった。
【図１】
2020515836.tif 000004
【図２】
2020515836.tif 000005
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
ｉ）接触面（２）を有する摩擦プローブ（１）であって、１０〜５００ｇの範囲のおもり（３）が適合されているプローブ、
ｉｉ）前記毛髪の束（５）を固定する手段（６）、および
ｉｉｉ）水の入った槽（７）
を備え、
前記摩擦プローブが、テクスチャアナライザー（４）に接続されているシステムを使用して、毛髪の湿潤摩擦を測定する方法であって、
ｉ）毛髪繊維の束（５）を準備するステップ、
ｉｉ）前記毛髪繊維（５）を位置合わせするステップ、
ｉｉｉ）前記毛髪繊維の束（５）を固定するステップ、
ｉｖ）前記水の入った槽（７）の水に前記毛髪繊維の束（５）を浸すステップ、
ｖ）前記おもり（３）が適合されている前記摩擦プローブ（１）の前記接触面（２）に前記毛髪繊維（５）を接触させるステップ、
ｖｉ）前記プローブ（１）を前記毛髪繊維（５）に沿って移動するステップ、および
ｖｉｉ）ステップｖｉ）で生成された前記摩擦を記録するステップ
を含み、
ステップｖ）〜ｖｉｉ）は水（８）の下で行われ、
前記プローブ（１）を前記毛髪（５）から持ち上げずに、一定の値が得られるまでステップｖｉ）〜ｖｉｉ）を繰り返す方法。
【請求項２】
前記毛髪繊維の束（５）を第１の毛髪処理組成物で処理するステップを含む、請求項１に記載の方法。
【請求項３】
前記毛髪繊維の束（５）を第２の毛髪処理組成物で処理するステップと、
前記第１の毛髪処理組成物で処理された毛髪の前記摩擦と前記第２の毛髪処理組成物で処理された前記毛髪の前記摩擦とを比較するステップと
を含む、請求項２に記載の方法。
【請求項４】
ステップｖｉ）からｖｉｉ）が１５から１００回繰り返される、請求項１から３のいずれかに記載の方法。
【請求項５】
前記プローブ（１）が界面活性剤を含む、請求項１から４のいずれかに記載の方法。
【請求項６】
前記摩擦プローブ（１）の界面活性剤のレベルが１０μｇ／ｃｍ２から１５００μｇ／ｃｍ２である、請求項５に記載の方法。
【請求項７】
前記摩擦プローブ（１）がゴム材料を含む、請求項１から６のいずれかに記載の方法。
【国際調査報告】
2020515836.tif 000006
2020515836.tif 000007
2020515836.tif 000008